(57)【特許請求の範囲】
【請求項１】
電子放射器を有する陰極配置を有し、
前記電子放射器は支持ピンに接続し、
前記支持ピンはそれぞれの固定要素を介して前記陰極配置に接続するＸ線管球であって、
前記固定要素は、第１の領域において前記陰極配置に、また、前記第１の領域から離れた第２の領域において関連付けられる前記支持ピンに接続し、
前記固定要素は、前記第１の領域と前記第２の領域との間に変形可能領域を有し、
前記変形可能領域を変形することによって、前記陰極配置に対する前記支持ピンの長手方向の位置を調整可能とすることを特徴とするＸ線管球。
【請求項２】
前記固定要素は、支持ピンをその中に導入可能なスリーブとして形成され、
前記スリーブの壁は、膨張した形の変形可能領域を有することを特徴とする請求項１記載のＸ線管球。
【請求項３】
前記スリーブの内径は、前記第２の領域におけるよりも前記第１の領域において大きいことを特徴とする請求項２記載のＸ線管球。
【請求項４】
前記陰極配置は、金属の本体を有し、
少なくとも１つの前記固定要素は、セラミック体を介して前記本体に接続することを特徴とする請求項２記載のＸ線管球。
【請求項５】
前記セラミック体には、前記固定要素と電気的に接触する接続タグが設けられていることを特徴とする請求項４記載のＸ線管球。
【発明の詳細な説明】
【０００１】
【産業上の利用分野】
本発明はそれぞれの固定要素を介して陰極配置にそれら自身が接続された支持ピンに接続された電子放射器を含む陰極配置からなる電子管球、特にＸ線管球に関する。
【０００２】
【従来の技術】
この種の電子管球、即ちＸ線管球は日本国特公昭６３ー１０５４２７号から知られている。その中で、直接加熱されるフィラメントである電子放射器は最初にそれの端の両方でそれぞれの支持ピンに接続される。支持ピンはそれぞれの中空円筒形固定要素内に導入され、２つの固定要素がセラミック体内に埋め込まれる。斯くして形成されたユニットは位置決め装置により陰極の頭部に関連した決められた位置に動かされる。
【０００３】
陰極により陽極上に生成された焦点の決められた大きさ及び形状を確認するために、電子放射器はたとえフィラメントが温度処理を受けた場合でも焦点決め電極に関連する決められた位置を正確に占めなければならない。しかしながら、その様な温度処理中にフィラメントの位置は変化し、それにより温度処理に続いて焦点決め電極に関連する電子放射器の位置調整が必要となる。その様な調整は熟練した労働力を要し、温度処理及び再調整が繰り返されなければならない場合は特に時間がかかる。
【０００４】
調整操作を簡単化するために、ヨーロッパ特許ＥＰ−Ａ２７３１６２号に２部分陰極頭部の使用が開示されている。その中に、それを支持する電子放射器又は支持ピンは一の陰極部分に第一に設けられ、その中でフィラメントは外側から適切に接近しうる。２つの陰極部分は温度処理及び調整の実施後にのみ連結される。
【０００５】
調整中に、電子放射器又は少なくとも一つのそれを支持するピンのどちらかは電子放射器が所望の位置に到達するまでそれの上端近くで曲げられる。
【０００６】
【発明が解決しようとする課題】
本発明の目的は、電子放射器を迅速に調整しうるような上記種類の電子管球を作ることである。
【０００７】
【課題を解決するための手段】
この目的は固定要素が第一の領域内の陰極配置及び第一の領域から離れた第二の領域内の関連する支持ピンに接続され、該固定要素は第一の領域と第二の領域間の変形部からなり、該変形部の変形は陰極構造に関連する電子放射器の位置を調整可能とすることにより達成される。
【０００８】
それで本発明により、固定要素の空間的に離れた部分は一方の側上の支持ピンと、他の側上の陰極配置の残りに接続され、これらの領域間に変形部が現れる。電子放射器はこの部分の変形により調整されうる；斯くして固定要素は同時に調整要素として供される。
変形部の変形は固定要素が陰極に接続されている（第一の）領域及び支持ピンが固定要素に接続されている（第二の）領域に関連した位置を変える。故に、電子放射器はそれが電子放射器（フィラメント）又は支持ピンを曲げる必要なしに変形部の変形により調整されうる。これにより既に再結晶されたフィラメントの使用ができ、該フィラメントは機械的応力がなく、故に動作条件内の加熱により変形されない；しかしながらそれらは非常に砕けやすいので力がフィラメントに働く所で調整操作中に破壊されうる。
【０００９】
更にまた、調整が不適切な間にフィラメント又は電子放射器に自由に接近しうるので、これにより１部分陰極頭部の使用を可能にする。
本発明の好ましい実施例では、固定要素は支持ピンが導入されうるスリーブとして形成され、該スリーブ壁は膨張した形を取る変形部からなる。力がスリーブに垂直な方向に膨張部に作用する場合、膨張部の直径は減少し、それによりそれと接続されている支持ピンは一方向に変位する。膨張部に作用するスリーブ方向に平行な方向の力は膨張部を変形させ、それにより支持ピンは反対方向に動く。
【００１０】
本発明の好ましい実施例では、支持ピンの外径に適合された第二の領域内のスリーブの内径よりも第一の領域内のスリーブの内径が大きい。これにより支持ピンそれ自体又は電子放射器（フィラメント）を曲げないで固定要素を曲げることにより関連した支持ピン又はそこに接続された電子放射器の位置を変えうるようになった。更にまたそれで、電子放射器から離れた陰極の側面上の変形部が接近可能となるように陰極配置が構成されうる。同様の効果が外径が支持ピンの残りの部分内よりもスリーブに接続された（第二の）領域でより大きい支持ピンを用いることにより達成されうる。
【００１１】
本発明の実施例で、陰極配置は少なくとも一つの固定要素がセラミック体を介して陰極体に接続される金属の本体からなる。この実施例では金属の１部分本体はセラミック板なしで用いうる；セラミック体はフィラメントの電気的短絡を防ぐ。
固定要素及びまた関連した支持ピン又はそれに接続された電子放射器端末は陰極頭部に対して絶縁される場合、加熱電流が端末を介して印加されうるように端末を設けることが必要である。その様な端末を半田付け又は溶接する間に既に調整された電子放射器が陰極構造内で再び変位されがちである。この危険は更なる実施例、セラミック体は固定要素と電気的に接触する接続タグを設けてなることにより回避されうる。
【００１２】
以下に図を参照して本発明を詳細に説明する。
【００１３】
【実施例】
図１に示す回転陽極Ｘ線管球は回転陽極配置２及び陰極構造３を配置した真空空間を囲むガラス管球容器１からなる。陰極構造は好ましくは直接加熱フィラメントコイルである電子放射器（図１に概略のみ示す）を設けた陰極頭部４からなる。斯くしてＸ線はフィラメントの加熱により放射された電子により発生される。
【００１４】
図２に陰極頭部４のフィラメントの長手方向の断面図を示す。陰極頭部４は金属の本体４８からなり、その上側にはスリット４２が開口しフィラメント４１を該スリット内に有する桶の様な凹部４０が設けられる。フィラメントに対して概略直角に延展するよう曲げられた２つの固定されていないフィラメントの肢はそれぞれ支持ピン４３に接続される。２つの支持ピン４３はモリブデンからなり、１．５ｍｍの厚さを有する；それらはそれぞれ固定要素４４を介し、それの端に接続される。固定要素４４は例えば鉄、ニッケル、コバルトの合金（Ｖａｃｏｎ）のような適切な熱膨張係数を有する金属で作られ、本体４８に接続される。しかしながら一方、右側固定要素４４は本体４８に直接接続され、左側固定要素４４は金属固定環４６を介して本体４８に接続されるセラミック体４５に接続される。
【００１５】
部品４４から４６の外見及び形状は図３の（ａ）に特に示す。その中のセラミック体４５は中空の円筒として形成される。セラミック体４５を貫通する固定要素４４の上端はセラミック体４５の金属化された内面に半田付けされる。セラミック体４５を囲む固定環４６はまた外部の周囲がこの領域で金属化されているセラミック体４５に半田付けされる。組み立て後にフィラメントにフィラメント電流を印加するリードに接続された接続タグ４７はセラミック体４５の金属化された下端面に半田付けされ、それにより接続タグ４７は固定環４６ではなく固定要素４４に電気的に接触する。
【００１６】
図３の（ｂ）及び（ｃ）に示すように、固定要素４４は１２．５ｍｍの長さを有し、０．２５ｍｍの厚さと、約７ｍｍの長さの上部領域４４１内で２．０ｍｍに達し、約３ｍｍの長さの下部領域４４２内で１．５ｍｍのみに達する内径を有するスリーブ又は中空の円筒の形を取る。これらの領域間の帯は長軸に関して回転対称であり、外径が徐々に増加して４ｍｍになり、それの壁厚は一定のままである変形可能な膨張部４４３を含む。支持ピン４３は上端からスリーブを貫通し、それの下部領域４４２の区域でスリーブに接続される。
【００１７】
陰極頭部４の組み立て及びフィラメント４１の調整を以下に詳細に記述する。固定要素４４、又は固定要素と部品４５．．．４７からなるユニットは１部分本体４８内に挿入され、適切なジグにより本体に関して整列され、例えばスポット溶接のような適切な方法によりそれに接続される。それから固定要素４４は本体に関して決定された位置を占める。
【００１８】
更にまた、フィラメント４１は２つの支持ピン４３にスポット溶接により接続される。予熱処理によりそれの２つの側方肢の領域と同様に再結晶されたフィラメントが用いられるのが好ましい。その様な再結晶されたコイルの使用は、フィラメントがそれに続く熱処理中及び後のＸ線管球の動作中にほとんど変形されず再結晶されないフィラメントが用いられた場合に加熱から調整の段階へ、及びその逆に亘って幾つかの変化を要する熱処理は実質的に減少されうるという利点を提供する。しかしながら、既に再結晶されたフィラメントは非常に砕けやすいため、それの調整中又は力が支持ピンの曲げによりフィラメントに加わる場合にそれは壊れる。故にその様なフィラメントは従来の調整過程では用いられえなかった。
【００１９】
続いて、支持ピン４３は固定要素４４内に挿入され、適切なジグにより陰極頭部４８に関連した決めた位置に動かされる；それらは領域４４２でスポット溶接により固定要素４４に接続されるこの位置に固定される。それでフィラメントは本質的に所望の位置をとる。
続いて、最後の熱処理が残余の応力を除去するためになされ、それでフィラメントは電流がフィラメントに印加される水素雰囲気中で熱される。斯くしてフィラメントは完全に再結晶する。
【００２０】
この操作に続いて膨張部４４３により形成される変形可能な領域の変形によりフィラメントの正確な調整がなされる。フィラメントは片側又は両側の陰極頭部内で高すぎ又は低すぎうる。それはスリット４２に関し非対称に配置されえ、又は各々の巻きが曲線上にある様に回転されうる。
フィラメントの位置が高すぎる場合、それは固定要素４４の長手方向に垂直な方向にあご部５からなる道具（図３の（ｂ））を用いて膨張部４４３上に圧力を働かせることにより調整されえ、それにより膨張部はわずかに圧縮される。固定要素の上部領域４４１は本体４８にしっかりと接続されているので、変形は固定要素の下部領域４４２を下方に動かし、それ故にまた支持ピン４３又はそこに接続されたフィラメント４１の端を下方に動かす。
【００２１】
フィラメントが陰極頭部内に深く入り過ぎた場合、膨張部４４３の上及び下に位置するあご部分６が固定要素４４の長手軸に平行に共に押される工具（図３の（ｃ））を用い、それにより膨張部は下部領域４４２が上部領域４４１に接近するようにより圧縮され、それにより支持ピン４３は上方に動かされる。
フィラメントをスリット４２の壁に向かって、又は壁から離れて側方に動かす必要がある場合、固定要素４４は下部領域４４２に作用するプライヤーにより曲げられうる；膨張部４４３は変形され、支持ピン４３は支持ピンそれ自身が曲げられることなしに上部領域４４１内のそれの同軸位置から外れるように動かされる。
【００２２】
最終的に、支持ピンはプライヤーにより固定要素の下部領域４４２上にねじりモーメントを働かせることによりそれらの長手軸について回転させられうる。斯くしてフィラメントは直線的に整列されうる。
調整操作の後及び陰極配置３の残りに陰極頭部４を接続する前に、フィラメントの電力供給のための端子は接続タグ４７に半田付けされる。固定要素それ自身はそれにより変形されず、それの調整もまた影響されない。
【００２３】
上記調整操作は操作者により直接視覚的制御下で実施されえ、一方でフィラメントの所望の位置を決定するジグを用いる。しかしながら適切なカメラにより陰極頭部内のフィラメントの位置を記録し、適切な画像処理の後に、モニター上にそれを操作者に表示することもまた可能であり、それにより調整操作は更により簡単化され、減少される。
【００２４】
上記実施例に対し、電子放射器は直接加熱されるべきフィラメントにより形成されることを仮定している。しかしながら、例えば間接加熱電子放射器のような他の電子放射器もまたこの方法により調整されうる。
【図面の簡単な説明】
【図１】本発明を用いうるＸ線管球を示す図である。
【図２】その様なＸ線管球の陰極頭部の断面図を示す。
【図３】固定要素及びそれにより達成されうる動きを示す図である。
【符号の説明】
１  ガラス管球容器
２  回転陽極配置
３  陰極構造
４  陰極頭部
５、６  あご部
４０  凹部
４１  フィラメント
４２  スリット
４３  支持ピン
４４  固定要素
４５  セラミック体
４６  金属固定環
４７  接続タグ
４８  本体
４４１  上部領域
４４２  下部領域
４４３  膨張部
【図１】
0003737530.tif 000002
【図２】
0003737530.tif 000003
【図３】
0003737530.tif 000004